(57)【特許請求の範囲】
【請求項１】
年少者を拘束するためにベルトを張設可能に装着したチャイルドシートの安全ベルト長さ調整装置であって、
前記ベルトは、座部に固着された固定ベルトと、一端が前記固定ベルトに掛着可能に配置され他端が前記チャイルドシートの前端部に装着された巻取り部に連結される張設ベルトとを有して年少者を拘束するように配設され、
前記巻取り部が、前記ベルトを牽引する牽引部と、牽引されたベルトを牽引された状態で停止させるロック部と、牽引されたベルトの残留分を巻取るように収納する巻取収納部とを有して構成され、前記牽引部が、前記ロック部と前記巻取収納部との間に配設されて、前記ロック部と前記巻取収納部との間で前記ベルトを前記チャイルドシートの座部を挿通して前記座部より外部に突出させる位置に配設され、
前記外部に突出した前記張設ベルトを牽引して年少者の体型に合わせて長さ調整した後、長さ調整された前記張設ベルトの残留分を前記巻取収納部において収納可能に構成されていることを特徴とするチャイルドシートの安全ベルト長さ調整装置。
【請求項２】
前記巻取収納部に、ゼンマイばねが配設され、前記ベルトの残留分を前記ゼンマイばねで巻き取るように構成されていることを特徴とする請求項１記載のチャイルドシートの安全ベルト長さ調整装置。
【請求項３】
前記ロック部が、カム面を有するカムレバーを有し、前記カム面に、歯部が形成されていることを特徴とする請求項２記載のチャイルドシートの安全ベルト長さ調整装置。
【発明の詳細な説明】
【０００１】
【発明の属する技術分野】
この発明は、年少者の体型に合わせてベルトの長さを調整できるように構成したチャイルドシートの安全ベルト長さ調整装置に関する。
【０００２】
【従来の技術】
一般に、年少者用の自動車座席（チャイルドシートという）には、自動車の走行中に、年少者がチャイルドシートから飛び出すことのないように、座部内に一端が固着され他端にバックルを装着した固定ベルトと、該バックルに掛着するタングを挿通して年少者の肩と腰部を掛け渡すように設けられた一対の肩ベルトとを有する安全ベルトが装着されている。
【０００３】
しかし、年少者の体型は様々で、年少者の身体に掛ける安全ベルトの張力が緩いと安全性に問題があり、また張力が強過ぎると年少者に対して苦痛を感じさせてしまう。そのために適度な張力で安全ベルトを張ることが必要になり、従来では肩ベルトを張った後で肩ベルトの適度な張りを維持するためのフックが別に用意されて、フックで肩ベルトを固着するようにしたり、または肩ベルトの端部を引き出して固定するようにしていた。
【０００４】
【発明が解決しようとする課題】
しかし、別に用意されたフックで肩ベルトを固着する場合、フックの固着作業は手間がかかり作業しにくく、また、使用中に緩むおそれがあった。さらに、フックが単独で保管されチャイルドシートに取り付けられていないので、紛失するおそれもあった。肩ベルトの端部を引き出す方式の場合、チャイルドシート５０に装着されている安全ベルト５１は、図１０に示すように、肩ベルト５２が背部５３の後方から座部５４に延設するように装着されている。肩ベルト５２の端部５２ａは、座部５４の前部から突出されているため、肩ベルト５２の端部５２ａを引っ張ると、引き出された肩ベルト５２の端部５２ａが、そのまま垂れ下がったままになっていた。そのため、肩ベルト５２の端部５２ａが走行中に跳ねて年少者に衝突するおそれがあった。しかも見た目にも良い印象を与えることができなかった。
【０００５】
この発明は、上述の課題を解決するものであり、年少者への体型に合わせてベルトの長さを調整するとともに、長さ調整されたベルトの残留部を収納することによって安全性を向上して垂れ下がりのないチャイルドシートの安全ベルト長さ調整装置を提供することを目的とする。
【０００６】
【課題を解決するための手段】
この発明にかかわるチャイルドシートの安全ベルト長さ調整装置では、上記の課題を解決するために、以下のように構成するものである。すなわち、
年少者を拘束するためにベルトを張設可能に装着したチャイルドシートの安全ベルト長さ調整装置であって、
前記ベルトは、座部に固着された固定ベルトと、一端が前記固定ベルトに掛着可能に配置され他端が前記チャイルドシートの前端部に装着された巻取り部に連結される張設ベルトとを有して年少者を拘束するように配設され、
前記巻取り部が、前記ベルトを牽引する牽引部と、牽引されたベルトを牽引された状態で停止させるロック部と、牽引されたベルトの残留分を巻取るように収納する巻取収納部とを有して構成され、前記牽引部が、前記ロック部と前記巻取収納部との間に配設されて、前記ロック部と前記巻取収納部との間で前記ベルトを前記チャイルドシートの座部を挿通して前記座部より外部に突出させる位置に配設され、
前記外部に突出した前記張設ベルトを牽引して年少者の体型に合わせて長さ調整した後、長さ調整された前記張設ベルトの残留分を前記巻取収納部において収納可能に構成されていることを特徴とするものである。
【０００８】
また、前記巻取収納部に、ゼンマイばねが配設され、前記ベルトの残留分を前記ゼンマイばねで巻取るように構成されているものであればよい。
【０００９】
さらに好ましくは、前記ロック部が、カム面を有するカムレバーを有し、前記カム面に、歯部が形成されているものであればよい。
【００１０】
【発明の効果】
本発明のチャイルドシートの安全ベルト長さ調整装置は、上記のように構成されているため、年少者の体型に合わせてベルトを牽引し、牽引した状態でベルトをロックすれば、年少者の体型に合わせてベルトの張りを適度に張設することができる。しかも、ベルトを牽引した状態ではベルトはゼンマイばねの付勢に抗して引き出されるので、ベルトをロックした後、牽引部を離せば自動的にベルトの残留部が巻取り部の巻取収納部に収納されるため、ベルトの端部を座部からはみ出さないようにすることができる。そのため、ベルトの端部によるトラブルは発生せず、しかも見た目にもよい。
【００１１】
また、ロック部にカム面を有するカムレバーが配設され、カム面に歯部が形成されていれば、ベルトを強固にロックして、ロック後にベルトの残留分を容易に収納することができる。
【００１２】
【発明の実施の形態】
以下、この発明の一実施の形態を図面に基づいて説明する。本形態のチャイルドシートの安全ベルト長さ調整装置（以下、ベルト長さ調整装置という）１０は、図１〜２に示すように、座部２と背部３とを有するチャイルドシート本体１に装着されて年少者を座席に拘束する安全ベルト２０と、年少者の体型に合わせて安全ベルト２０の所定の長さに調整した状態で安全ベルト２０の端末を処理する巻取り部３０とを有して構成されている。
【００１３】
安全ベルト２０は、年少者を座席に拘束するために、年少者の股部を覆って座部フレーム２ａに一端が固着され他端にバックル２２が装着された固定ベルト２１と、バックル２２に掛着可能なタング２４を備えて年少者に適度な張りを付与する張設ベルト２５とからなり、張設ベルト２５は、一端が座部フレーム２ａに固着されて年少者の腰部と肩部とを掛け渡す一対の肩ベルト２６と、一端に接続プレート２７を介して背部の後方で一対の肩ベルト２６の他端に連結される牽引ベルト２８とで構成され、固定ベルト２１に接続された張設ベルト２５を、牽引ベルト２８の一端で牽引することによって張設ベルト２５のベルト長さを調整できるように構成している。
【００１４】
牽引ベルト２８は、座部２内を挿通して座部２の前端部に配置される巻取り部３０に収納され、予め、巻取り部３０に収納されている予備ベルト分が張設ベルト２５の長さ調整分を含んだ長さに形成されている。牽引ベルト２８は、長さ調整されるために、巻取り部３０を挿通して、一旦、座部２の外部に出されて牽引部材４６に挿通され、牽引部材４６を挿通した牽引ベルト２８は再び巻取り部３０内に収納される。
【００１５】
巻取り部３０は、図３〜５に示すように、ロック部３４と巻取収納部４０と、牽引部４５とを有して構成されている。ロック部３４と巻取収納部４０とは、座部２の前端部で牽引ベルト２８の走行ガイドとしてのガイドプレート３１を挟んで上下に対向するように配置され、ロック部３４がカムレバー３６を有してガイドプレート３１の上方に配置され、巻取収納部４０が下方に配置されている。そして、牽引ベルト２８が挿通するベルト通路３２の出口の外方には、牽引ベルト２８と牽引ベルト２８を挿通した牽引部材４６とで牽引部４５が構成されている。
【００１６】
ロック部３４はガイドプレート３１上に支持される断面Ｕ字形の支持プレート３３にカムレバーシャフト３５を介して回動可能に支持されるカムレバー３６を備えている。カムレバー３６はガイドプレート３１上を走行する牽引ベルト２８を押圧して張設ベルト２５の移動を阻止するカム部３７と、カム部３７より後方側に配置されてを牽引ベルト２８に押圧あるいは押圧解除するように操作されるレバー部３８とを有している。
【００１７】
カム部３７には反レバー部側に向かって回転中心からの半径が徐々に大きくなるようにカム面３７ａが形成され、さらにカム面３７ａには、牽引された牽引ベルト２８が戻る方向に係止する歯部が形成されている。さらに、カムレバー３６には、ガイドプレート３１に一端が掛着されカムレバー３６のレバー部３８に他端が掛着されて回転方向に付勢するコイルばね３９が、常時カムレバー３６のカム面３７ａを牽引ベルト２８側に押圧するように取り付けられている。従って、カムレバー３６のレバー部３８を、図３中、時計方向に回転させると（図３の二点鎖線で示す部分）、コイルばね３９は、カムレバー３６を反時計方向に付勢することになり、カムレバー３６が、コイルばね３９の付勢力で反時計方向に回転されると、カム面３７ａは、牽引ベルト２８に食い込む方向に牽引ベルト２８を押圧するので、牽引ベルト２８を肩ベルト２６側に戻すことはない。
【００１８】
巻取収納部４０は、牽引ベルト２８を巻取って収納する収納ケース４１と、牽引ベルト２８の先端部を挟持して牽引ベルト２８を巻装する軸部４２と、収納ケース４１の側部に配置されかつ軸部４２に連結して牽引ベルト２８を巻取る側に付勢するゼンマイばね４３とを有している。
【００１９】
収納ケース４１は、牽引ベルト２８の予備ベルト分と張設ベルト２５の長さ調整分とを含めて収納するスペースを確保できる容量に形成され、そのため、使用時においては、図３に示すように、牽引ベルト２８の調整された長さ分が残存量として全て巻取り部３０に収納されることになる。
【００２０】
牽引部材４６は、図５に示すように、矩形状の枠体で形成され、牽引ベルト２８を挿通する挿通部４７と、手で牽引される操作部４８とを有し、牽引ベルト２８が挿通されて摺動する挿通部４７の支持部４７ａは円弧状に形成されて摺動しやすくなっている。また、支持部４７ａは巻取り部３０のベルト通路３２の出口から通路内に入ることのないように、ゼンマイばね４３によって引っ張られて後退位置に移動した状態では、支持プレート３３の前端部に当接するためストッパとしての役割も果たしている。
【００２１】
従って、牽引ベルト２８の残留量が全て収納ケース４１に巻取られた状態では、牽引部材４６は牽引ベルト２８と共に引っ張られて支持プレート３３に当接されることになる（図１または図５参照）。
【００２２】
次に、上記のように構成されたベルト長さ調整装置１０の作用を、図６〜９に基づいて説明する。
【００２３】
図６は、年少者がチャイルドシート本体１に着座して、固定ベルト２１に張設ベルト２５を掛着した状態での巻取り部３０を示すものであり、張設ベルト２５は年少者に対してその張力を付与せず背部３の回りで緩められている状態である。そのため、巻取り部３０の巻取収納部４０には、張設ベルト２５の残留分は収納されていない。しかし、巻取り部３０の巻取収納部４０には、予め、牽引ベルト２８が所定量の分巻き付けられているため、ゼンマイばね４３は牽引ベルト２８を巻取り方向に付勢した状態にある。
【００２４】
次に、年少者の体型に合わせて張設ベルト２５に張力を付与するために、牽引部材４６を手でもって牽引ベルト２８を牽引する。まず、図７に示すように、ロック部３４のカムレバー３６のレバー部３８を下方（図７における時計方向）に押し込んでカムレバー３６のカム面３７ａを牽引ベルト２８から解放する。そして、牽引部材４６を手で引っ張り、牽引ベルト２８を張設ベルト２５の長さ調整分、巻取り部３０から外方に引き出すと、図２に示すように、肩ベルト２６は年少者の胸部を適度な張力で締め付けることになる。巻取収納部４０に巻き付けられている牽引ベルト２８は、当初から巻き付けられている予備ベルト分をゼンマイばね４３により巻取り方向に付勢されているため、牽引部材４６で引き出された量は肩ベルト２６で緩められた分だけが引き出されることになる。
【００２５】
この状態で、カムレバー３６を押し込んでいる手を離すとカムレバー３６は、コイルばね３９により牽引ベルト２８の表面に当接する方向に回転して、カム面３７ａの歯部で牽引ベルト２８を固定する。そのため、固定ベルト２１との掛着部からカムレバー３６のカム面３７ａに当接されている張設ベルト２５は、適度な張力を維持した状態で固定される。
【００２６】
そして、図８に示すように、牽引部材４６の操作部４８から手を離すと、牽引ベルト２８は、カムレバー３６のカム面３７ａで押圧している部分から、外方に引き出された分が、ゼンマイばね４３の付勢力によって自動的に巻取収納部４０に巻き付けるように収納される。従って、巻取収納部４０には、図９に示すように、張設ベルト２５の長さ調整分が、予め巻き付けられていた牽引ベルト２８に加えて巻き付けられて、設定された最大の量を収納することとなる。
【００２７】
なお、ゼンマイばね４３によって巻取り部３０の巻取収納部４０に収納された牽引ベルト２８とともに戻された牽引部材４６は、巻取り部３０の支持プレート３２前端部で支持部４７ａが当接されて移動を規制されるため、牽引部材４６は巻取り部３０に収納されることはなく、手の操作でいつでも牽引操作を行なうことができる。
【００２８】
以上のように、ベルト長さ調整装置１０は、年少者の体型に合わせて張設ベルト２５（牽引ベルト２８）を牽引し、牽引した状態で張設ベルト２５をロックすれば、年少者の体型に合わせて張設ベルト２５の張りを適度に張設することができる。しかも、張設ベルト２５を牽引した状態では牽引ベルト２８は、巻取り部３０のゼンマイばね４３の付勢に抗して引き出されるので、牽引ベルト２８をロックした後、牽引部４５を離せば自動的に牽引ベルト２８の残留部が巻取り部３０の巻取収納部４０に収納されるため、牽引ベルト２８の端部を座部２からはみ出さないようにすることができる。そのため、張設ベルト２５の端部によるトラブルは発生せず、しかも見た目にもよい。
【００２９】
また、ロック部３４にカム面３７ａを有するカムレバー３６が配設され、カム面３７ａに歯部が形成されていれば、牽引ベルト２８を強固にロックして、ロック後に牽引ベルト２８の残留分を容易に収納することができる。
【００３０】
なお、本発明のベルト長さ調整装置の構成は、張設ベルトの端末部をチャイルドシート本体内に巻取るように収納できるものであれば、上記の形態に限定するものではない。例えば、巻取り部を構成するゼンマイばねの替わりに他のばね部材でもよく、また、軸部をハンドルで回すようにしてもよい。さらに、牽引ベルトを固定するロック部はカムレバーでなくても、牽引ベルトを上方から押圧して固定できるものであれば他の公知のものでもよい。
【図面の簡単な説明】
【図１】本発明の一形態のベルト長さ調整装置を組み込んだチャイルドシートを示す斜視図。
【図２】図１における縦断面図
【図３】図２におけるベルト長さ調整装置を示す一部側面断面図
【図４】同一部正面図断面図
【図５】同一部平面図
【図６】ベルト長さ調整装置の作用を示す一部断面図
【図７】牽引ベルトを牽引した作用を示す一部断面図
【図８】ロック部を作用させた後で牽引ベルトを収納させる作用を示す一部断面図
【図９】巻取収納部に牽引ベルトの残留部が収納される作用を示す一部断面図
【図１０】従来のチャイルドシートを示す斜視図
【符号の説明】
１…チャイルドシート本体
２…座部
３…背部
１０…ベルト長さ調整装置
２０…安全ベルト
２１…固定ベルト
２５…張設ベルト
２８…牽引ベルト
３０…巻取り部
３４…ロック部
３６…カムレバー
３７ａ…カム面（歯部）
４０…巻取収納部
４３…ゼンマイばね
４５…牽引部
４６…牽引部材
【図１】
0004386534.tif 000002
【図２】
0004386534.tif 000003
【図３】
0004386534.tif 000004
【図４】
0004386534.tif 000005
【図５】
0004386534.tif 000006
【図６】
0004386534.tif 000007
【図７】
0004386534.tif 000008
【図８】
0004386534.tif 000009
【図９】
0004386534.tif 000010
【図１０】
0004386534.tif 000011